(57)【要約】【課題】落下防止機能を維持しつつ、商品を容易に取り出すことができる商品陳列棚を提供する。【解決手段】左右に間隔を隔てて立設された後支柱２０，２０に取り付けられる左右１対のブラケット３０，３０により棚板３５が支持され、棚板３５の前端部３７に左右方向に延びかつ棚板３５よりも上方に延びるストッパ部材６が配設され、ボトルワイン８，８’が棚板３５に載置される商品陳列棚１であって、ストッパ部材６は、その上面６１とその背面６３との間にかけて切り欠かれた形状の傾斜面６２が形成されている。【選択図】図３
2018130146.tif 000002
【特許請求の範囲】
【請求項１】
左右に間隔を隔てて立設された支柱に取り付けられる左右１対のブラケットにより棚部が支持され、該棚部の前端部に左右方向に延びかつ該棚部よりも上方に延びる落下防止部材が配設され、商品が該棚部に載置される商品陳列棚であって、
前記落下防止部材は、その上部とその背部との間にかけて切り欠かれた形状の被切欠き部が形成されていることを特徴とする商品陳列棚。
【請求項２】
前記被切欠き部は、傾斜面で構成されていることを特徴とする請求項１に記載の商品陳列棚。
【請求項３】
前記傾斜面は、高さ寸法が前後寸法よりも長尺であることを特徴とする請求項２に記載の商品陳列棚。
【請求項４】
少なくとも前記被切欠き部は、樹脂または木材により形成されていることを特徴とする請求項１ないし３のいずれかに記載の商品陳列棚。
【請求項５】
前記落下防止部材は、前記棚部の前端部に着脱可能に配設されていることを特徴とする請求項１ないし４のいずれかに記載の商品陳列棚。
【発明の詳細な説明】
【技術分野】
【０００１】
本発明は、商品を陳列するために用いられる商品陳列棚に関する。
【背景技術】
【０００２】
デパート、スーパーマーケット、コンビニエンスストア等の売り場には、商品を陳列するための棚部を複数備える商品陳列棚が配置されている。このような商品陳列棚には、棚部の前端部から商品の落下を防ぐため、棚部の前端部に落下防止部材を設けている。
【０００３】
例えば、特許文献１によれば、ショーケース（商品陳列棚）は、商品を陳列するための棚部を上下方向に複数段備えるものであって、棚部の前端部には、商品落下防止用のガード（落下防止部材）が立設され、棚部に載置された商品が棚部の前端部から落下することを防いでいる。一方、このような棚部に載置された商品を取り出す際には、ガードの頂部を乗り越えさせて取り出していた。
【先行技術文献】
【特許文献】
【０００４】
【特許文献１】特開２０１２−１７６０９２号公報（第５頁、第１図）
【発明の概要】
【発明が解決しようとする課題】
【０００５】
しかしながら、特許文献１にあっては、例えばボトルワインのような商品が立設された状態で前後方向に並んで複数陳列されている場合に、ガードの頂部を乗り越えさせて商品を取り出そうとすると、商品の重量を支えた状態で商品を取り出さなければならず、またガードに商品の重量を預けて取り出すために手前に傾けようとすると、後方の商品と干渉してしまい、商品の取り出しが困難であるという問題があった。
【０００６】
本発明は、このような問題点に着目してなされたもので、落下防止機能を維持しつつ、商品を容易に取り出すことができる商品陳列棚を提供することを目的とする。
【課題を解決するための手段】
【０００７】
前記課題を解決するために、本発明の商品陳列棚は、
左右に間隔を隔てて立設された支柱に取り付けられる左右１対のブラケットにより棚部が支持され、該棚部の前端部に左右方向に延びかつ該棚部よりも上方に延びる落下防止部材が配設され、商品が該棚部に載置される商品陳列棚であって、
前記落下防止部材は、その上部とその背部との間にかけて切り欠かれた形状の被切欠き部が形成されていることを特徴としている。
この特徴によれば、棚部よりも上方に延びる落下防止部材により商品の前方への落下を防止しつつ、立設して陳列された商品を取り出す際には被切欠き部に沿って商品を傾けることができるとともに被切欠き部をガイドとして商品を取り出すことができるため、容易に商品を棚部から取り出すことができる。さらに、取り出す商品の略後方に近接して他の商品が陳列されている場合であっても、商品を前方に傾けても被切欠き部を設けているため、該商品の底部が背面側に突出する量が少なく、容易に商品を手前上方に取り出すことができる。
【０００８】
前記被切欠き部は、傾斜面で構成されていることを特徴としている。
この特徴によれば、切欠かれた部分が傾斜面で形成されているので、商品の荷重を確実に支持しつつ、商品を傾けた状態で取り出し方向へ安定して案内することができる。
【０００９】
前記傾斜面は、高さ寸法が前後寸法よりも長尺であることを特徴としている。
この特徴によれば、商品が大きく傾くことを防ぐことができることから、商品の落下防止の機能を確実に保持ししつつ、商品を過度に傾けることなく手前上方に向かって支持・案内することができる。
【００１０】
少なくとも前記被切欠き部は、樹脂または木材により形成されていることを特徴としている。
この特徴によれば、商品を被切欠き部に沿って滑らせることができるため、商品の取り出しが円滑に行える。
【００１１】
前記落下防止部材は、前記棚部の前端部に着脱可能に配設されていることを特徴としている。
この特徴によれば、商品の高さや重さ等に応じて落下防止部材を適宜最適なものに取り換えることが容易である。
【図面の簡単な説明】
【００１２】
【図１】実施例１における商品陳列棚を示す斜視図である。
【図２】実施例１の棚の前端部を示す側面視の断面図である。
【図３】実施例１の商品陳列棚の上部を示し、前方に一本のみボトルワインを図示した側面視の断面図である。
【図４】比較例における商品陳列棚を示し、前方に一本のみボトルワインを図示した側面視の断面図である。
【図５】（ａ）〜（ｄ）は、実施例１のストッパ部材の各種被切欠き部の変形例を示す側面視の断面図である。
【図６】実施例１のストッパ部材の取り付け構造の変形例を示す側面視の断面図である。
【図７】（ａ），（ｂ）は、実施例２における商品陳列棚を示す側面視の断面図である。
【発明を実施するための形態】
【００１３】
本発明に係る商品陳列棚を実施するための形態を実施例に基づいて以下に説明する。
【実施例１】
【００１４】
実施例１に係る商品陳列棚につき、図１〜３および図５を参照して説明する。以下、図２および３の紙面左側を商品陳列棚の正面側（前方側）とし、その前方側から見たときの上下左右方向を基準として説明する。
【００１５】
本実施例の商品陳列棚１は、スーパーマーケット、コンビニエンスストア等においてボトルワインやペットボトル等の商品を陳列するために設置される。図１に示されるように、商品陳列棚１は、立設させて設置可能な枠体２と、図示しない商品が載置される複数の棚板３５，３５，…（棚部）と、一つの棚板３５に対して左右一対に取り付けられる複数のブラケット３０，３０，…と、から主に構成され、本実施例においては一つの棚板３５と左右一対のブラケット３０，３０から構成される構造を棚３，３，…と呼称する。この棚３には、左右方向への商品の落下を防止するための移動規制プレート４，４および前方方向からの商品の落下を防止するための落下防止ユニット５が取り付けられている。
【００１６】
枠体２は、後方側に配設される左右一対の後支柱２０，２０（支柱）と、前方側に配設される左右一対の前支柱２１，２１と、後支柱２０，２０の上下端部をそれぞれ連結する後横連結杆２２，２２と、前支柱２１，２１の下端部をそれぞれ連結する前横連結杆２３と、後支柱２０，２０および前支柱２１，２１において前後方向に対向する上下端部をそれぞれ連結する奥連結杆２４，２４，…と、から構成されており、前面が開放された箱状体となっている。
【００１７】
また、枠体２は、後支柱２０，２０および前支柱２１，２１の下端部に図示しないアジャスタが取り付けられており、アジャスタの高さをそれぞれ調整することにより、設置場所に関わらず商品陳列棚１を水平な状態で設置できるようになっている。尚、アジャスタではなく、キャスタが備えられていてもよい。
【００１８】
後支柱２０は、前面の左右側端縁にそれぞれ複数の係止孔２０ａ，２０ａ，…が上下に所定間隔おきに設けられており、後述する棚３を構成するブラケット３０の後端に設けられる係止片３１，３１，…（図３参照）が係止可能となっており、係止片３１，３１，…を係止孔２０ａ，２０ａ，…に係止させることにより、棚３，３，…を枠体２内において所望の高さ、数で取り付けられるようになっている。
【００１９】
前支柱２１は、直接の図示は省略するが、後支柱２０との対向面に後支柱２０の係止孔２０ａ，２０ａ，…と対向して複数の係止孔が設けられており、後述する棚３を構成するブラケット３０の前端に設けられる突出片３３，３３（図３参照）が嵌入可能となっている。
【００２０】
棚３は、左右一対のブラケット３０，３０と、ブラケット３０，３０によって支持される棚板３５と、から構成されている。
【００２１】
図３に示されるように、略下向きｄ字状のブラケット３０は、ブラケット３０の後端に設けられる係止片３１，３１，…と、棚板３５が上方から取り付けられる上端部３２と、ブラケット３０の前端に設けられる突出片３３，３３と、から主に構成されている。尚、ブラケット３０は、ステンレス板の打ち抜き加工により成形される。さらに尚、図３において、説明の便宜上、後横連結杆２２の図示を省略している。
【００２２】
ブラケット３０の係止片３１，３１，…は、ブラケット３０の後端の所定の位置に上下に３つ設けられており、各係止片３１，３１，…を後支柱２０の係止孔２０ａ，２０ａ，…（図１参照）に係止させることで、ブラケット３０が後支柱２０に係止される。さらに、ブラケット３０の突出片３３，３３は、ブラケット３０の係止片３１，３１，…を係止させた係止孔２０ａ，２０ａ，…と対向する前支柱２１の係止孔に嵌入されることで、ブラケット３０が前支柱２１に支持される。これらにより、ブラケット３０は、後支柱２０，２０および前支柱２１，２１により前後端部が支持されていることから、後支柱２０，２０のみで支持されているときより、大きな荷重を支持することができる。このとき、ブラケット３０の上端部３２は、略水平となっている。
【００２３】
棚板３５は、上面視略矩形状に形成された載置部３６（図１も併せて参照）と、載置部３６の前後端部にそれぞれ折り曲げ形成された前端部３７および後端部３８と、載置部３６の左右側端部に折り曲げ形成された側端部３９，３９（図１も併せて参照）と、から形成されている。尚、棚板３５は、ステンレス板によって形成されている。
【００２４】
図２に示されるように、棚板３５の前端部３７は、載置部３６前方の端部が側部断面視略逆向きコ字状に折り曲げ加工された下垂片３７ｂと、側部断面視略上向きコ字状に折り曲げ加工された係止片３７ｃと、から構成されており、係止片３７ｃは、下垂片３７ｂと前後方向に所定間隔の溝部３７ａを形成した状態で、溶接にて載置部３６の裏面に固定されている。尚、前端部３７は、前支柱２１，２１間の左右寸法よりわずかに短い略同一寸法に形成されている。
【００２５】
図３に示されるように、棚板３５の後端部３８は、棚板３５の載置部３６後方の端部が側部断面視略コ字状に折り曲げ加工されて形成されており、左右方向の寸法が前端部３７より長尺かつ棚板３５の左右の側端部３９，３９の左右方向寸法よりも短尺である。
【００２６】
棚板３５の側端部３９，３９は、棚板３５の載置部３６左右の端部が前後端部３７，３８よりも左右方向において突出した位置で略垂直下方に折り曲げ加工されて形成されている。また、側端部３９，３９は、後端部３８の背面の左右方向における延出位置と略同一位置に側端部３９，３９の後端が、前端部３７より後方に側端部３９，３９の前端（図２参照）が、それぞれ位置しており、側端部３９，３９の下端部は後端部３８の下端部よりも下方に位置している。
【００２７】
棚板３５は、左右一対の後支柱２０，２０に係止された左右一対のブラケット３０，３０に上方から取り付けられた際、前後端部３７，３８それぞれの左右方向の端部と、側端部３９，３９との間に、ブラケット３０，３０がそれぞれ挿嵌される。このとき、棚板３５は、略水平に配設されているブラケット３０の上端部３２，３２に載置されることで、載置部３６が略水平に支持される。
【００２８】
また、棚板３５は、載置部３６前後の端部に図示しない前後一対の丸孔が左右方向に所定間隔を置いて複数形成されており、前後一対の丸孔を介して後述する移動規制プレート４を載置部３６の前後方向に沿わせて取り付け可能である。
【００２９】
移動規制プレート４は、ステンレス板により略矩形状に形成されており、図示しない係止部を載置部３６の図示しない前後一対の丸孔にそれぞれ係止させることで、載置部３６に対して略垂直に立設させて取り付けることができる。これにより、載置部３６に載置された商品が載置部３６左右の端部から落下することを防ぐことができる。尚、移動規制プレート４は、載置部３６の左右方向の端部のみならず中央に配置してもよく、商品の陳列に応じて適宜取り付位置を変更してもよく、商品の区分けや商品を略直線状に陳列する等の用途に使用してもよく、３つ以上使用してもよい。
【００３０】
図２に示されるように、落下防止ユニット５は、略板状のストッパ部材６（落下防止部材）と、ストッパ部材６が嵌入可能な保持部材７と、から構成されており、ストッパ部材６および保持部材７の左右寸法は、棚板３５の前端部３７の左右寸法と略同一寸法に形成されている。
【００３１】
ストッパ部材６は、前面６０と、前面６０の上端より略垂直に形成された上面６１（上部）と、上面６１の後端から下方に向かって傾斜する傾斜面６２（被切欠き部）と、傾斜面６２の下端より前面６０と略平行に形成された背面６３（背部）と、前面６０および背面６３の下端とそれぞれ略垂直に形成された下面６４と、から画成される側部断面視略直角台形状に形成されており、傾斜面６２は、ストッパ部材６の左右に亘って形成されている。尚、ストッパ部材６は、木材で形成されているが、アクリル樹脂やポリ塩化ビニル樹脂等の合成樹脂材により形成されていてもよい。さらに尚、ストッパ部材６の上面６１（上部）と背面６３（背部）との間にかけて切り欠かれた形状は、側部断面視略矩形の板部材を切り欠いて形成する他、型抜き形成や押出し形成等により切り欠かれた形状に成形されたものであってもよい。
【００３２】
また、傾斜面６２の勾配は、高さ寸法Ｔ１が前後寸法Ｄ１よりも長尺となっているため、前後方向を基準として急勾配（傾斜角が４５度より大）に形成されており、この傾斜角を角度Ａ１とする。
【００３３】
保持部材７は、ストッパ部材６が挿嵌されるホルダ部材７０と、棚板３５の前端部３７に係止される係止部材７５と、から構成されている。尚、ホルダ部材７０と係止部材７５は、透明なアクリル樹脂やポリ塩化ビニル樹脂等の合成樹脂材により形成され、後述するように接着によって互いに固定されている。
【００３４】
ホルダ部材７０は、前壁部７１と、上下寸法において前壁部７１より短尺の後壁部７２と、前後壁部７１，７２の下端をそれぞれ略垂直に連結する下端部７３とで側部断面視上向きコ字状に形成されその内側に上方に開放する溝部７４が形成されており、前後壁部７１，７２の間に上方からストッパ部材６を下端部７３まで嵌入してストッパ部材６を溝部７４内に保持できる。
【００３５】
係止部材７５は、上端から上下方向略中央までの連結部７６と、上下方向略中央の屈折部７７と、上下方向略中央から下端までの係止部７８とで側部断面視略Ｓ字状に形成されている。連結部７６は、上端（係止部材７５の上端と同意）がホルダ部材７０の後壁部７２の上端と略同一面を形成し、ホルダ部材７０の後壁部７２の上端から上下方向略中央にかけて接着剤により固定されている。屈折部７７は、後壁部７２から離間して後方に屈折している。係止部７８は、屈折部７７により後方に離間したまま後壁部７２と略平行となっており、後壁部７２との間に溝部７ａを形成している。尚、ホルダ部材７０と係止部材７５は、一体に形成されていてもよい。
【００３６】
また、保持部材７は、ホルダ部材７０の溝部７４にストッパ部材６が嵌入された際に、ストッパ部材６の傾斜面６２の下端部から離間した下方にホルダ部材７０の後壁部７２の上端と係止部材７５の上端が位置するため、被切欠き部である傾斜面６２に干渉し難いように形成されている。
【００３７】
落下防止ユニット５は、棚板３５の前端部３７の溝部３７ａに係止部材７５の係止部７８を挿嵌させるとともに、前端部３７の係止片３７ｃを保持部材７の溝部７ａに嵌入させることで、前端部３７の正面に着脱自在に配設させることができる。このとき、落下防止ユニット５の左右寸法は、棚板３５の前端部３７の左右寸法と略同一寸法に形成されていることから、棚板３５の前端部３７を正面から見え難いように覆っている。さらに、落下防止ユニット５は、前端部３７が前支柱２１，２１の間に配設されていることから、前支柱２１，２１と連続するように形成されていることで、一体感を演出することができる。
【００３８】
また、落下防止ユニット５は、棚板３５の前端部３７に装着されると、係止部材７５の屈折部７７からストッパ部材６の上面６１にかけて棚板３５の載置部３６よりも上方に突出しているため、載置部３６に載置された商品の略水平前方への移動を規制し、商品の落下を防止することができる。また、保持部材７にストッパ部材６が挿嵌されているため、落下防止ユニット５全体で商品の落下を防止している。
【００３９】
また、落下防止ユニット５は、ホルダ部材７０の前壁部７１と、ストッパ部材６の前面６０との間に、図示しないプライスカードやＰＯＰ広告（Point of purchase advertising）等を挿し込むことができ、先述のようにホルダ部材７０を透明な合成樹脂材で形成することから、挿し込まれたプライスカードやＰＯＰ広告を視認することができる。
【００４０】
これまで、商品陳列棚１の構造および載置された商品の落下防止について説明してきたが、次いで、図３に示される本実施例における商品陳列棚１と、図４に示される被切欠き部が形成されていないストッパ部材６Ａを備える比較例における商品陳列棚１Ａとを比較しながら、立設されて陳列された上面視略円柱状のボトルワイン８（商品）を傾けた際の態様について説明する。尚、商品陳列棚１Ａについては、商品陳列棚１と同一構成で重複する構成を省略する。
【００４１】
図３に示されるように、商品陳列棚１には、棚３，３’の前方にそれぞれボトルワイン８，８’が１本ずつ図示されており、上方の棚３のボトルワイン８は、ストッパ部材６の傾斜面６２に沿って傾けた状態のボトルワイン８であり、下方の棚３のボトルワイン８’は、陳列状態におけるボトルワイン８’である。尚、傾斜面６２に沿ってボトルワイン８が傾けられた際の、ボトルワイン８の底部８０と、棚板３５の載置部３６との間の角度を角度Ａ２とする。さらに尚、説明の便宜上、棚３，３’として記述するが、共に同一構成の棚であり、ボトルワイン８，８’についても同様に、共に同一構成のボトルワインである。
【００４２】
図４に示されるように、商品陳列棚１Ａには、棚３Ａ，３Ａ’の前方にそれぞれボトルワイン８Ａ，８Ａ’が１本ずつ図示されており、上方の棚３Ａのボトルワイン８Ａは、ストッパ部材６Ａの背面側上端の角６２Ａに当接させて傾けた状態のボトルワイン８Ａであり、下方の棚３Ａのボトルワイン８Ａ’は、陳列状態におけるボトルワイン８Ａ’である。尚、角６２Ａに当接させてボトルワイン８Ａを傾けた際の、ボトルワイン８Ａの底部８０Ａと、棚板３５Ａの載置部３６Ａとの間の角度を角度Ａ３とし、角度Ａ３は、ボトルワイン８（図３参照）を傾けた際の角度Ａ２（図３参照）と同一の角度である。さらに尚、説明の便宜上、ボトルワイン８Ａ，８Ａ’として記述するが、共に図３で示したボトルワイン８，８’と同一構成のボトルワインである。
【００４３】
図３に示されるように、ボトルワイン８は、前方に傾動させ傾斜面６２に当接させた状態となっている。このとき、ボトルワイン８の底部８０の後端部８１は、ボトルワイン８’の後端位置を示す基準線Ｌ１と略同一線上に位置している。一方、図４に示されるように、ボトルワイン８Ａの底部８０Ａの後端部８１Ａは、ボトルワイン８Ａ’の後端位置を示す基準線Ｌ２より後方に位置した状態となっている。尚、基準線Ｌ１および基準線Ｌ２は、共に同一の位置を示す基準線である。
【００４４】
図３に示されるように、ボトルワイン８は、傾斜角が角度Ａ１に形成されたストッパ部材６の傾斜面６２（図２参照）に当接した状態では、角度Ａ１と角度Ａ２とが同一の角度となっている。従ってボトルワイン８を傾ける角度Ａ１の設定により、ボトルワイン８の後端部８１を基準線Ｌ１より後方に大きく突出させることなく、ボトルワイン８を傾けることができる。
【００４５】
このように、傾斜面６２を設けることで、複数のボトルワイン８，８，…が載置部３６の前後方向に並んで複数陳列されている場合であっても、前方に陳列されたボトルワイン８を基準線Ｌ１より大きく後方に突出しないように傾けることができるので、後続のボトルワイン８，８，…に対する負荷を抑えて前方に陳列されたボトルワイン８を傾斜させることができる。
【００４６】
これに対し図４に示した従来の商品陳列棚１Ａにおいては、複数のボトルワイン８Ａ，８Ａ，…が載置部３６Ａの前後方向に並んで複数陳列されている場合、角６２Ａを支点として前方に陳列されたボトルワイン８Ａを角度Ａ２と同じ角度Ａ３だけ傾ける際に、前方に陳列されたボトルワイン８Ａの底部８０Ａが基準線Ｌ２よりも大きく後方に突出して後続のボトルワイン８Ａ，８Ａ，…に対する負荷が大きくなり、ボトルワイン８Ａの取り出しに困難を伴うことになる。
【００４７】
次いで、図３を用いて、傾けたボトルワイン８を棚３より取り出す際の態様について説明する。
【００４８】
先述の通り、ストッパ部材６の傾斜面６２によってボトルワイン８の傾きが角度Ａ２になるように案内することができる。このとき、傾斜面６２は、傾斜面６２に線接触するボトルワイン８の荷重の一部を負担しながら支持している。さらに、ボトルワイン８を取り出すにあたり、ボトルワイン８が傾斜面６２に線接触している間、ボトルワイン８の傾きが角度Ａ１に案内されたままであるため、ボトルワイン８を角度Ａ１に傾けた状態で取り出し方向へ安定して案内するガイド機能も備えている。
【００４９】
また、ストッパ部材６の傾斜面６２は、滑面に加工されているため、ボトルワイン８を手前上方に取り出す際に、ボトルワイン８を傾斜面６２に沿って滑らせることができるため、ボトルワイン８の取り出しが円滑に行える。
【００５０】
また、ストッパ部材６の傾斜面６２を急勾配に形成しているため、意図せずボトルワイン８が傾いた場合であっても、傾斜面６２に当接することでボトルワイン８が過度に傾くことを防ぐことができる。これにより、ボトルワイン８の落下防止の機能を確実に保持ししつつ、ボトルワイン８を過度に傾けることなく安全に手前上方に向かって支持・案内することができる。
【００５１】
これまで説明してきたように、棚板３５よりも上方に延びるストッパ部材６により商品の前方への落下を防止しつつ、立設して陳列された商品を取り出す際には傾斜面６２に沿って商品を傾けることができるとともに、傾斜面６２をガイドとして商品を取り出すことができるため、容易に商品を棚板３５から取り出すことができる。さらに、取り出す商品の略後方に近接して他の商品が陳列されている場合であっても、商品を前方に傾けても傾斜面６２を設けているために、該商品の底部が背面側に突出する量が少なく、容易に商品を手前上方に取り出すことができる。
【００５２】
また、先述のように、落下防止ユニット５が保持部材７に対して着脱自在であるので、商品の大きさや重さ等に応じて落下防止ユニット５ごと交換することが可能であるが、ストッパ部材６も、保持部材７の溝部７４に挿嵌されているため、ストッパ部材６だけを適宜最適なものに取り換えることができる。
【００５３】
また、ストッパ部材６には、傾斜面６２が形成されていることから、棚３の前方に陳列された商品を見る際、ストッパ部材６の上方から見ることで、商品の下部を見ることができるため、商品の視認性が良い。
【００５４】
以下、実施例１のストッパ部材の被切欠き部の形状の変形例について説明する。図５（ａ）に示されるように、被切欠き部１６５が側部断面視略直角状の角部１６２ａ，１６２ｂにより形成された略直角状の段部１６２によって形成されたもの、図５（ｂ）に示されるように、被切欠き部が前面２６０上端（上部）から背面２６３上部にかけて形成された側部断面視略直線状の長い傾斜面２６２によって形成されたもの、図５（ｃ）に示されるように、被切欠き部である傾斜面３６２に加えて傾斜面３６２の上端から前面３６０の上部にかけて前方傾斜面３６１が形成されたもの、図５（ｄ）に示されるように、被切欠き部４６５が前面４６０上端（上部）から背面４６３上部にかけて形成された側部断面視ラウンド状の傾斜面４６２によって形成されたものなど各種の被切欠き部を採用することができる。
【００５５】
図５（ａ）の被切欠き部１６５は、その角部１６２ａ，１６２ｂを利用して傾斜面の傾斜角を任意に設定可能であり、図５（ｂ）の被切欠き部２６５として構成された長い傾斜面２６２は、商品の取り出しの安定性を増すことが可能であり、図５（ｃ）の傾斜面３６２の上端から前面３６０の上部にかけて形成された前方傾斜面３６１のなす角を鈍角にして、身体の一部が触れても損傷し難くすることが可能であり、図５（ｄ）に示され側部断面視ラウンド状の傾斜面４６２は、重量のない、背丈が短い商品の取り出しに適しており、商品を前方上方に持ち上げることなくラウンド状の傾斜面４６２に沿って商品を取り出すことで、取り出しに掛かる負担を軽くすることが可能である。商品としてパンやお弁当等に適している。
【００５６】
以下、ストッパ部材６０６の係止部材７５への取付方法およびストッパ部材６０６の前面側形状の変形例を説明する。図６を参照し、ストッパ部材６０６は係止部材７５のテーパ状の貫通孔７９に挿通された複数の木ネジ９７によって係止部材７５に取付、固定されている。木ネジ９７の頭部はテーパ状の貫通孔７９と係合し、背面側に突出しないため、陳列される商品を傷付けることがない。尚、傾斜面６６２は上述した傾斜面６２と同様の構成である。
【００５７】
また、ストッパ部材６０６の前面側には、上端突出部６１０と下端突出部６２０との間に前面側から背面側に凹む凹部６３０が形成されている。上端突出部６１０には上方に延びるスリット６１１が形成されており、同様に下端突出部６２０には下方に延びるスリット６２１が形成されている。これらスリット６１１，６２１を係止部として、プライスカード等を凹部６３０に配置できるようになっている。
【実施例２】
【００５８】
次に、実施例２に係る商品陳列棚５００につき、図７（ａ），（ｂ）を参照して説明する。尚、前記実施例１と同一構成で重複する構成の説明を省略する。
【００５９】
図７（ａ）に示されるように、商品陳列棚５００の棚５０３は、略下向きＬ字状に形成された左右一対のブラケット５３０，５３０と、棚ユニット５３５（棚部）と、落下防止ユニット５０５と、から主に構成されている。尚、図７（ａ）内において、吹出し内は棚５０３の前端部分を拡大した部分拡大図となっている。
【００６０】
棚ユニット５３５は、棚部本体である前横架部材５３５ａおよび後横架部材５３５ｂと、側部断面視略倒立Ｌ字状に形成された棚部材５０９と、から構成されている。左右一対のブラケット５３０，５３０の前端部に前横架部材５３５ａが、後端部に後横架部材５３５ｂが、それぞれ取り付けられ上面視略矩形状の枠を形成し、詳しくは後述するが、前後横架部材５３５ａ，５３５ｂに棚部材５０９が載置されることで、商品を陳列可能な載置面５９０ａ，５９０ｂ（図７（ｂ）参照）を形成することができる。
【００６１】
前横架部材５３５ａは、側部断面視略下向きコ字状に型抜き形成され、その凹部にＬＥＤ５３５ｃが備え付けられている。後横架部材５３５ｂは、略Ｎ字状に型抜き形成されており、後端部５３６ｂがブラケット５３０よりも上方に突出している。
【００６２】
前横架部材５３５ａは、前端部の垂下部にボルト挿通孔５３６ａが形成されており、ボルト挿通孔５３６ａにボルト５９５を挿通させた状態で、落下防止ユニット５０５に形成された後述する雌ネジ部５０５ａにボルト５９５を螺合させることで、棚ユニット５３５の前端部に落下防止ユニット５０５が取り付けられる。
【００６３】
落下防止ユニット５０５は、被切欠き部５６５を備えるストッパ部材５０６と、側部断面視略上向きコ字状に形成されたホルダ部材５７０と、から構成されており、ストッパ部材５０６がホルダ部材５７０に嵌入された状態において、ストッパ部材５０６の前後方向略中央部まで穿設された雌ネジ部５０５ａにボルト５９５を螺合してストッパ部材５０６の抜け出しを防止している。
【００６４】
棚部材５０９は、略平板状に形成された載置部材５９０と、載置部材５９０の後端部に略垂直に立設するように固定された脚部材５９１と、から構成されており、載置部材５９０の前後寸法は、後横架部材５３５ｂの後端部からホルダ部材５７０の後壁部５７２までの前後寸法よりもわずかに短く形成されている。これにより、棚部材５０９は、脚部材５９１の自由端を上方に向けて載置部材５９０を前後横架部材５３５ａ，５３５ｂに載置させることで、略水平の載置面５９０ａを形成することができる。さらに、棚部材５０９は、図７（ｂ）に示されるように、脚部材５９１の自由端を後横架部材５３５ｂに載置させ、載置部材５９０の前端部を前横架部材５３５ａに載置させることで、後端部から前端部にかけて下方に傾斜する載置面５９０ｂを形成することもできる。
【００６５】
図７（ａ），（ｂ）に示されるように、棚部材５０９は、載置部材５９０の前後端部に亘って側部断面視略コ字状のカバー部材５９２，５９２がそれぞれ取り付けられており、載置部材５９０の前後端部を荷重や衝撃等から保護している。
【００６６】
また、棚部材５０９は、前後横架部材５３５ａ，５３５ｂに設置する上下方向の向きを変更することで、略水平に係止されるブラケット５３０，５３０であっても、載置部材５９０の傾きを変更することができるため、演出に応じて略水平状態の載置面５９０ａまたは傾斜状態の載置面５９０ｂに適宜変更することが容易である。
【００６７】
また、ストッパ部材５０６は、被切欠き部５６５が形成されているため、略水平状態の載置面５９０ａまたは傾斜状態の載置面５９０ｂのいずれの場合であっても、陳列されている商品の視認性がよい。さらに、前横架部材５３５ａは、ＬＥＤ５３５ｃを備えているため、下方に位置する棚５０３をＬＥＤ５３５ｃにより明るく演出することで、より視認性を高めることができる。
【００６８】
以上、本発明の実施例を図面により説明してきたが、具体的な構成はこれら実施例に限られるものではなく、本発明の要旨を逸脱しない範囲における変更や追加があっても本発明に含まれる。
【００６９】
例えば、前記実施例１では、ストッパ部材６は、木材またはアクリル樹脂により形成されている態様として説明したが、これに限らず、ステンレスやアルミニウム等の金属で形成されていてもよく、被切欠き部がフッ素樹脂やセラミックス等で表面加工されることで滑面が形成されていてもよい。さらに、ストッパ部材が二つ以上の部材により形成され、被切欠き部のみが木材またはアクリル樹脂等の滑りやすい材料により形成されていてもよい。
【００７０】
また、ストッパ部材６の傾斜面６２は、高さ寸法Ｔ１が前後寸法Ｄ１より長尺である態様として説明したが、これに限らず、前後寸法が高さ寸法よりも長尺に形成されていてもよく、略同一寸法に形成されていてもよい。
【００７１】
落下防止ユニット５は、保持部材７を棚板３５の前端部３７と嵌合させることで取り付けられる態様として説明したが、これに限らず、実施例２のように、落下防止ユニットに雌ネジ部が形成され、ボルトにより棚板に固定される態様であってもよく、ストッパ部材のみが直接棚板に固定される態様であってもよい。
【００７２】
また、落下防止ユニット５は、棚板３５の前端部３７の正面に配設される態様として説明したが、これに限らず、前端部３７の上部に配設される態様であってもよい。
【００７３】
枠体２は、後支柱２０，２０（支柱）と、前支柱２１，２１と、を備える態様として説明したが、これに限らず、後支柱２０，２０と、後支柱２０，２０を立設させて支持可能な脚部材を用いることで立設可能であってもよく、実施例１の枠体２の構成に限定するものではない。
【００７４】
また、枠体２は、設置場所に関わらず商品陳列棚１を水平な状態で設置できる態様として説明したが、これに限らず、壁や床に埋め込む、または、壁や床に一体形成される等により、立設されていてもよい。
【００７５】
ブラケット３０は、後支柱２０と前支柱２１とに支持される態様として説明したが、これに限らず、後支柱２０にのみ支持される態様であってもよい。また、ブラケット３０は、後支柱２０と一体形成されていてもよい。
【００７６】
棚３は、左右一対のブラケット３０，３０と、棚板３５と、から構成されている態様として説明したが、これに限らず、実施例２のように左右一対のブラケットと、棚ユニットと、から構成されていてもよい。
【００７７】
被切欠き部は、実施例１において、ストッパ部材６の左右に亘って形成される例について説明したが、これに限らず、所定間隔置きに形成されていてもよく、陳列される物品の形状に応じて、三角柱形状や半球形状等のストッパ部材の前面側かつ上方側に凹む形状に形成されていてもよい。
【００７８】
商品は、立設させて陳列可能なペットボトル飲料や缶に封入された菓子類等でもよく、寝かせて陳列するパンや弁当等でもよく、ボトルワイン８に限定するものではない。
【００７９】
１                商品陳列棚
６                ストッパ部材（落下防止部材）
８，８’          ボトルワイン（商品）
２０              後支柱（支柱）
３０              ブラケット
３５              棚板（棚部）
３７              棚板（棚部）の前端部
６２              傾斜面（被切欠き部）
６３              背面
１６５            被切欠き部
２６２            長い傾斜面（被切欠き部）
３６２            傾斜面（被切欠き部）
４６２            ラウンド状の傾斜面（被切欠き部）
４６５            被切欠き部
５００            商品陳列棚
５０６            ストッパ部材（落下防止部材）
５３０            ブラケット
５３５            棚ユニット（棚部）
５６５            被切欠き部
６０６            ストッパ部材（落下防止部材）
６６２            傾斜面（被切欠き部）
Ｄ１              前後寸法
Ｔ１              高さ寸法
【図１】
2018130146.tif 000003
【図２】
2018130146.tif 000004
【図３】
2018130146.tif 000005
【図４】
2018130146.tif 000006
【図５】
2018130146.tif 000007
【図６】
2018130146.tif 000008
【図７】
2018130146.tif 000009